(57)【特許請求の範囲】
【請求項１】
ベランダに鉛直に固定された固定枠（１）と、揺動枠（２）と、伸縮枠（３）と、持ち上げ枠（４）と、固定ソーラーパネル（５）と移動ソーラーパネル（６）とを含む太陽エネルギーのベランダ囲い板であって、
前記揺動枠（２）と前記伸縮枠（３）と前記持ち上げ枠（４）とは、いずれも矩形枠状を呈し、
前記揺動枠（２）の上端は、前記固定枠（１）にヒンジピンによって接続され、
前記伸縮枠（３）は、前記揺動枠（２）と平行に設けられ、かつ縦方向に沿って前記揺動枠（２）にスライド可能に接続され、
前記持ち上げ枠（４）は、前記伸縮枠（３）と平行に設けられ、かつ前記伸縮枠（３）の所在の平面に対し垂直方向に沿って前記伸縮枠（３）にスライド可能に接続され、
前記固定ソーラーパネル（５）は、前記揺動枠（２）に固定され、
前記移動ソーラーパネル（６）は、前記持ち上げ枠（４）に固定され、
前記固定枠（１）には、回転可能な主軸（７）が横方向に沿って接続され、
前記主軸（７）と前記伸縮枠（３）との間には、前記主軸（７）が回転する時、前記伸縮枠（３）を移動させる伝動機構が設置され、
前記固定枠（１）には、前記揺動枠（２）が上方へ揺動して角度を設定する時、前記揺動枠（２）と当接して前記揺動枠（２）の揺動を規制する位置規制部品が設置され、
前記主軸（７）、前記揺動枠（２）及び前記固定枠（１）の間には、前記主軸（７）が回転する時、前記揺動枠（２）を揺動させる係脱機構が設置され、
前記揺動枠（２）と前記位置規制部品とが当接すると、前記係脱機構は、前記揺動枠（２）を前記固定枠（１）に位置決めさせかつ前記主軸（７）を前記揺動枠（２）に対し空回りさせ、
前記持ち上げ枠（４）と前記揺動枠（２）との間には、前記移動ソーラーパネル（６）と前記固定ソーラーパネル（５）とがずれるように前記伸縮枠（３）が伸び出した時、前記移動ソーラーパネル（６）と前記固定ソーラーパネル（５）とが同じ平面上に位置されるように前記持ち上げ枠（４）を上昇させる案内機構が設置される、
ことを特徴とする太陽エネルギーのベランダ囲い板。
【請求項２】
前記伸縮枠（３）には、複数の支持柱（３１）が垂直に固定され、
前記持ち上げ枠（４）には、複数の支持スリーブ（４１）が固定され、
複数の前記支持スリーブ（４１）は、それぞれ複数の前記支持柱（３１）にスライド可能に外装され、
前記伸縮枠（３）と前記持ち上げ枠（４）との間には、二対のリンク（３２）が設置され、
二対の前記リンク（３２）は、横向きに配列され、
同一対の二つの前記リンク（３２）は、中央部に交差してヒンジピンによって接続され、かつ同一対の前記リンク（３２）は一端がいずれも前記伸縮枠（３）に縦方向に沿ってスライド可能に接続され、他端が前記持ち上げ枠（４）に縦方向に沿ってスライド可能に接続されている、
ことを特徴とする請求項１に記載の太陽エネルギーのベランダ囲い板。
【請求項３】
前記案内機構は、二対の案内車（４２）を含み、二対の前記案内車（４２）がそれぞれ前記持ち上げ枠（４）の上端の両側の縁に回転可能に接続され、
同一対の二つの前記案内車（４２）は、縦方向に沿って配列され、かつ同一対の二つの前記案内車（４２）のうち、一つの前記案内車（４２）が他方の前記案内車（４２）より高く、
前記揺動枠（２）の横方向における両側の下縁において案内板（２１）が長手方向に沿って固定され、かつ前記案内板（２１）の下端はいずれも前記揺動枠（２）の下縁から延出しており、
二つの前記案内板（２１）の内面には、いずれも二つの案内溝（２２）が長手方向に沿って形成され、
二つの前記案内溝（２２）のうち、一つの前記案内溝（２２）が他方の前記案内溝（２２）より高く、
同じ側の二つの前記案内車（４２）は、それぞれ同じ側の二つの前記案内溝（２２）の内部に接続され、かつ高い方の前記案内車（４２）が高い方の前記案内溝（２２）の内部に接続され、低い方の前記案内車（４２）が低い方の前記案内溝（２２）の内部に接続され、
前記案内溝（２２）は、前記移動ソーラーパネル（６）と前記固定ソーラーパネル（５）とが位置をずらすまで前記伸縮枠（３）が伸びだした時に、前記案内車（４２）を上げることができる、
ことを特徴とする請求項２に記載の太陽エネルギーのベランダ囲い板。
【請求項４】
前記案内溝（２２）は、案内部（２２１）と、持ち上げ部（２２２）と支持部（２２３）を含み、
前記案内部（２２１）と前記支持部（２２３）は、いずれも前記案内板（２１）の長手方向に沿って設置され、かつ前記支持部（２２３）が前記案内部（２２１）より高く、
前記持ち上げ部（２２２）は、傾斜して設けられ、かつ前記案内部（２２１）と前記支持部（２２３）の間に位置し、
前記持ち上げ部（２２２）の上端は、前記案内部（２２１）の下端と接続され、
前記持ち上げ部（２２２）の下端は、前記支持部（２２３）の上端と接続され、
前記案内車（４２）が前記案内部（２２１）に沿って転がる時に、前記移動ソーラーパネル（６）が前記固定ソーラーパネル（５）の下方に位置して前方へ伸び出し、
前記案内車（４２）が前記持ち上げ部（２２２）に沿って転がる時に前記移動ソーラーパネル（６）が上方へ上げられ、
前記案内車（４２）が前記支持部（２２３）の内部に位置する時に前記移動ソーラーパネル（６）と前記固定ソーラーパネル（５）とは同じ水平面に位置する、
ことを特徴とする請求項３に記載の太陽エネルギーのベランダ囲い板。
【請求項５】
前記固定枠（１）において横向きの両端には、いずれも装着台座（１１）が備わり、
前記装着台座（１１）の片側には、いずれも装着套管が横方向に沿って固定され、
前記揺動枠（２）の上縁の両端には、いずれもヒンジ接続スリーブ（２３）が備わり、
二つの前記ヒンジ接続スリーブ（２３）は、それぞれ二つの前記装着套管に回転可能に外装され、
前記装着套管の内孔は、前記装着台座（１１）のもう一側まで貫通しており、
前記主軸（７）は、横方向にそって前記装着台座（１１）と前記装着套管を通り抜けるように前記装着台座（１１）に軸受によって回転可能に接続され、
前記固定枠（１）には、駆動モータ（１２）が固定され、
該駆動モータ（１２）のモーターシャフトは、前記主軸（７）の一端と接続され、
前記位置規制部品は、前記装着台座（１１）に固定された位置規制板（１１１）を含み、
前記位置規制板（１１１）は、鉛直方向に対し傾斜して設けられ、かつ前記揺動枠（２）が上方へ揺動して角度を設定する時に、前記位置規制板（１１１）は前記揺動枠（２）の上面と当接できる、
ことを特徴とする請求項３又は請求項４に記載の太陽エネルギーのベランダ囲い板。
【請求項６】
前記係脱機構は、前記主軸（７）に外装された駆動スリーブ（７１）と、位置決めスリーブ（１３）と伝動スリーブ（２５）とを含み、
前記駆動スリーブ（７１）は、前記主軸（７）に固定され、
前記位置決めスリーブ（１３）は、前記固定枠（１）に固定され、
前記揺動枠（２）の上端の縁には、横方向に沿って接続スリーブ（２４）が固定して接続され、
前記伝動スリーブ（２５）は、前記接続スリーブ（２４）の内部にスライド可能に穿設され、かつ前記伝動スリーブ（２５）と前記接続スリーブ（２４）とがスプラインによって接続され、
前記伝動スリーブ（２５）は、前記駆動スリーブ（７１）と前記位置決めスリーブ（１３）との間に位置し、
前記伝動スリーブ（２５）が前記駆動スリーブ（７１）に移動して前記駆動スリーブ（７１）に押さえる時に、前記伝動スリーブ（２５）の一端が前記駆動スリーブ（７１）と円周方向に位置決めされ、
前記伝動スリーブ（２５）が前記位置決めスリーブ（１３）へ移動する時に、前記伝動スリーブ（２５）の他端が前記位置決めスリーブ（１３）と円周方向において位置決めされ、
前記伸縮枠（３）には、押し棒（３３）が備わり、
位置規制部品と前記揺動枠（２）とが分離状態にある時に、前記押し棒（３３）は前記伝動スリーブ（２５）に当接して前記伝動スリーブ（２５）の一端を前記駆動スリーブ（７１）に押さえて円周方向における位置決めを実現することができ、
前記押し棒（３３）は、前記揺動枠（２）と前記位置規制部品とが当接する時に、前記伝動スリーブ（２５）から離れることができ、
前記駆動スリーブ（７１）は、前記押し棒（３３）が前記伝動スリーブ（２５）から離れる時に、前記伝動スリーブ（２５）を押すことで前記伝動スリーブ（２５）と前記位置決めスリーブ（１３）とに円周方向における位置決めを形成させることができる、
ことを特徴とする請求項５に記載の太陽エネルギーのベランダ囲い板。
【請求項７】
前記伝動スリーブ（２５）の一端端面には、複数の従動歯（２５１）が円周方向に配列され、
前記駆動スリーブ（７１）と前記伝動スリーブ（２５）とにおいて互いに対向した端の端面には、複数の主動歯（７１１）が円周方向に配列され、
前記伝動スリーブ（２５）が前記駆動スリーブ（７１）に押さえる時に前記従動歯（２５１）が前記主動歯（７１１）と噛み合い、
前記伝動スリーブ（２５）の他端の端面には、複数の位置決め突起部（２５２）が円周方向に配列され、
前記位置決めスリーブ（１３）と前記伝動スリーブ（２５）とにおいて互いに対向した端の端面には、複数の位置決め溝（１３１）が円周方向に形成され、
前記駆動スリーブ（７１）が前記伝動スリーブ（２５）を押し動かす時、複数の前記位置決め突起部（２５２）はそれぞれ複数の前記位置決め溝（１３１）の内部に嵌め込まれることができる、
ことを特徴とする請求項６に記載の太陽エネルギーのベランダ囲い板。
【請求項８】
前記押し棒（３３）の側面には、前記伝動スリーブ（２５）の方向へ突起した押し突起部（３４）が備わり、
該押し突起部（３４）は、支持平面（３４１）と押し斜面（３４２）を有し、
前記支持平面（３４１）は、縦方向に沿って設置されかつ前記伝動スリーブ（２５）の端面を向いており、
前記押し斜面（３４２）の下端は、前記支持平面（３４１）の上端と接続され、
前記押し斜面（３４２）の上端は、前記伝動スリーブ（２５）から離れた方向へ傾斜して設けられ、
前記伝動スリーブ（２５）の外周面には、伝動棒（２５３）が横方向に沿って固定され、
前記伝動棒（２５３）の端部には、伝動車（２５４）がヒンジピンによって接続され、
前記揺動枠（２）と前記位置規制部品とが分離状態にある時に前記伝動車（２５４）が前記支持平面（３４１）に当接し、
前記揺動枠（２）が前記位置規制部品と当接する時に前記伝動車（２５４）が前記押し斜面（３４２）に沿って前記押し突起部（３４）と離れるまで転がる、
ことを特徴とする請求項７に記載の太陽エネルギーのベランダ囲い板。
【請求項９】
前記支持平面（３４１）と前記押し斜面（３４２）との接続部には、装着溝（３４３）が形成され、
前記装着溝（３４３）の内部には、緩衝ブロック（３４４）が横方向に沿ってスライド可能に接続され、
前記装着溝（３４３）の内部には、また弾性皿ばね（３４６）が設置され、
前記弾性皿ばね（３４６）の両端は、それぞれ前記装着溝（３４３）の底面と前記緩衝ブロック（３４４）の内端面に当接しており、
前記緩衝ブロック（３４４）の外端面を過渡面（３４５）とし、
前記弾性皿ばね（３４６）の作用により前記過渡面（３４５）の両端がそれぞれ前記支持平面（３４１）と前記押し斜面（３４２）とマッチングする、
ことを特徴とする請求項８に記載の太陽エネルギーのベランダ囲い板。
【請求項１０】
前記揺動枠（２）において縦方向に沿って二本の案内軸（２６）が固定され、
前記伸縮枠（３）の上端には、複数の案内スリーブ（３５）が固定され、
複数の前記案内スリーブ（３５）は、それぞれ複数の前記案内軸（２６）にスライド可能に外装され、
前記伝動機構は、伝動歯車（２７）と伝動ラック（３６）とを含み、
前記伝動ラック（３６）は、縦方向に沿って前記伸縮枠（３）に固定され、
前記伝動歯車（２７）は、前記揺動枠（２）の下端に回転可能に接続され、
前記伝動歯車（２７）と前記伝動ラック（３６）とが噛み合っており、
前記主軸（７）には、主動プーリ（７２）が固定され、
前記伝動歯車（２７）には、従動プーリ（２８）が固定され、
前記主動プーリ（７２）と前記従動プーリ（２８）とは、伝動ベルト（７３）によって接続されている、
ことを特徴とする請求項３又は請求項４に記載の太陽エネルギーのベランダ囲い板。
【発明の詳細な説明】
【技術分野】
【０００１】
本発明は、太陽エネルギー装置技術分野に関し、特に太陽エネルギーのベランダ囲い板に関する。
【背景技術】
【０００２】
ソーラーパネルは新エネルギー装置として、複数のソーラーセルから組み立てられ、太陽光発電システムにおいて核心となる存在であり、太陽光発電システムにおいて一番重要な部分でもあり、太陽エネルギーを電気エネルギーに転化できるソーラーパネルは生活においてもよく見られている。ソーラーパネルの普及と伴い、多くのベランダは外周にソーラーパネルを装着されるようになる。ソーラーパネルは一般にベランダの外部立面に鉛直に貼り付けられ、また、ベランダの外部立面の高さが不足であるため、下層の光の照射に影響しないように、ソーラーパネルの高さも規制されており、もしソーラーパネルを前方へ傾けて伸び出すように装着すれば、長時間の使用を渡って上方から落ちた異物に傷つけられやすい。したがって、現在ベランダの外周に装着されるソーラーパネルは光の照射面積が小さく、効率が低い。
【発明の概要】
【０００３】
本発明は、従来技術の問題に鑑み、使用しない時に占用空間が少なく、使用時に広げられて効率を向上させる太陽エネルギーのベランダ囲い板を提供することを目的とする。
【０００４】
本発明の目的を実現するために、ベランダに鉛直に固定された固定枠と、揺動枠と、伸縮枠と、持ち上げ枠と、固定ソーラーパネルと移動ソーラーパネルとを含む太陽エネルギーのベランダ囲い板であって、前記揺動枠と前記伸縮枠と前記持ち上げ枠とは、いずれも矩形枠状を呈し、前記揺動枠の上端は、前記固定枠にヒンジピンによって接続され、前記伸縮枠と前記揺動枠とは、平行となりかつ縦方向に沿って揺動枠にスライド可能に接続され、前記持ち上げ枠と前記伸縮枠とは、平行となり、かつ前記伸縮枠の所在の平面に対し垂直方向に沿って前記伸縮枠にスライド可能に接続され、前記固定ソーラーパネルは、前記揺動枠に固定され、前記移動ソーラーパネルは、前記持ち上げ枠に固定され、前記固定枠には、回転できる主軸が横方向に沿って接続され、前記主軸と前記伸縮枠との間には、伝動機構が設置され、前記伝動機構は、前記主軸が回転している時に前記伸縮枠の移動を連動させることができ、前記固定枠には、位置規制部品が設置され、前記位置規制部品は、前記揺動枠が上方へ揺動して角度を設定する時に前記揺動枠の位置を当接によって規制することができ、前記主軸と前記揺動枠と前記固定枠との間には、係脱機構が設置され、前記係脱機構は、前記主軸の回転時に前記揺動枠を揺動させることができ、前記揺動枠と前記位置規制部品とは、当接すると、前記係脱機構が前記揺動枠を前記固定枠に位置決めしかつ前記主軸が前記揺動枠に対し空回りし、前記持ち上げ枠と前記揺動枠との間には、案内機構が設置され、前記移動ソーラーパネルと前記固定ソーラーパネルとが位置をずらすまで前記伸縮枠が伸び出した時に、前記案内機構は前記持ち上げ枠を上方に連動させて前記移動ソーラーパネルと前記固定ソーラーパネルとを同じ水平面に位置させることができる。
【０００５】
使用しない時に前記揺動枠が鉛直に下方を向いており、前記伸縮枠が揺動枠の後ろ側に縮められてベランダの外部立面と対向することでベランダの下方空間を占用しなく、使用時に前記主軸が回転し、前記係脱機構が前記揺動枠を揺動させて角度を設定し、これによって前記揺動枠と前記位置規制部品とが当接し、この時、前記揺動枠が傾斜状態になるまで揺動し、前記揺動枠と前記位置規制部品とが当接する時に前記離合部品が前記揺動枠と前記固定枠とを互いに位置決めさせると同時に前記主軸が前記揺動枠に対し空回りし、前記主軸が空回りするうちに前記伝動機構が前記伸縮枠を連動させて引き続き伸び出させ、前記移動ソーラーパネルと前記固定ソーラーパネルとが同じ水平面にあるようになると、前記移動ソーラーパネルと前記固定ソーラーパネルとが同時に光に照射されて作動するため、高い作動効率を有する。
【０００６】
前記太陽エネルギーのベランダ囲い板において、前記伸縮枠には、複数の支持柱が垂直に固定され、前記持ち上げ枠には、複数の支持スリーブが固定され、複数の前記支持スリーブは、それぞれ複数の前記支持柱にスライド可能に外装され、前記伸縮枠と前記持ち上げ枠との間には、二対のリンクが設置され、二対の前記リンクは、横向きに配列され、同一対の二つの前記リンクは、中央部に交差してヒンジピンによって接続され、かつ同一対の前記リンクは一端がいずれも前記伸縮枠に縦方向に沿ってスライド可能に接続され、他端が前記持ち上げ枠に縦方向に沿ってスライド可能に接続されている。前記揺動枠は鉛直に下方を向いているか、または傾いて下方を向いている状態にあるため、前記支持スリーブと前記支持柱との係合により、前記伸縮枠が前記持ち上げ枠を支持し、前記持ち上げ枠が上昇する時に二対の前記リンクによって前記持ち上げ枠に均等な支持を与えることで安定性を保証できる。
【０００７】
前記太陽エネルギーのベランダ囲い板において、前記案内機構は、二対の案内車を含み、二対の前記案内車がそれぞれ前記持ち上げ枠の上端の両側の縁に回転可能に接続され、同一対の二つの前記案内車は、縦方向に沿って配列され、かつ同一対の二つの前記案内車のうち、一つの前記案内車が他方の前記案内車より高く、前記揺動枠の横方向における両側の下縁において案内板が長手方向に沿って固定され、かつ前記案内板の下端はいずれも前記揺動枠の下縁から延出しており、二つの前記案内板の内面には、いずれも二つの案内溝が長手方向に沿って形成され、二つの前記案内溝のうち、一つの前記案内溝が他方の前記案内溝より高く、同じ側の二つの前記案内車は、それぞれ同じ側の二つの前記案内溝の内部に接続され、かつ高い方の前記案内車が高い方の前記案内溝の内部に接続され、低い方の前記案内車が低い方の前記案内溝の内部に接続され、前記案内溝は、前記移動ソーラーパネルと前記固定ソーラーパネルとが位置をずらすまで前記伸縮枠が伸びだした時に、前記案内車を上げることができる。位置をずらした二つの前記案内車が二つの前記案内溝と係合し、前記案内溝が前記案内車を持ち上げる時、二つの前記案内車が前記持ち上げ枠に対しよりいい持ち上げ作用を果たし、前記移動ソーラーパネルと前記固定ソーラーパネルとが同じ水平面にある時に二つの前記案内車が前記持ち上げ枠に対しよりいい支持作用を果たせる。
【０００８】
前記太陽エネルギーのベランダ囲い板において、前記案内溝は、案内部と、持ち上げ部と支持部を含み、前記案内部と前記支持部は、いずれも前記案内板の長手方向に沿って設置され、かつ前記支持部が前記案内部より高く、前記持ち上げ部は、傾斜して設けられ、かつ前記案内部と前記支持部の間に位置し、前記持ち上げ部の上端は、前記案内部の下端と接続され、前記持ち上げ部の下端は、前記支持部の上端と接続され、前記案内車が前記案内部に沿って転がる時に、前記移動ソーラーパネルが前記固定ソーラーパネルの下方に位置して前方へ伸び出し、前記案内車が前記持ち上げ部に沿って転がる時に前記移動ソーラーパネルが上方へ上げられ、前記案内車が前記支持部の内部に位置する時に前記移動ソーラーパネルと前記固定ソーラーパネルとは同じ水平面に位置する。前記案内車が前記案内部に沿って転がる時に前記伸縮枠が平らでまっすくに伸び出し、前記案内車が前記持ち上げ部に沿って転がる時に前記伸縮枠が上げられ、前記案内車が前記支持部に入る時に前記持ち上げ枠が位置決めされる。
【０００９】
前記太陽エネルギーのベランダ囲い板において、前記固定枠において横向きの両端には、いずれも装着台座が備わり、前記装着台座の片側には、いずれも装着套管が横方向に沿って固定され、前記揺動枠の上縁の両端には、いずれもヒンジ接続スリーブが備わり、二つの前記ヒンジ接続スリーブは、それぞれ二つの前記装着套管に回転可能に外装され、前記装着套管の内孔は、前記装着台座のもう一側まで貫通しており、前記主軸は、横方向にそって前記装着台座と前記装着套管を通り抜けるように前記装着台座に軸受によって回転可能に接続され、前記固定枠には、前記駆動モータが固定され、該駆動モータのモーターシャフトは、前記主軸の一端と接続され、前記位置規制部品は、前記装着台座に固定された位置規制板を含み、前記位置規制板は、鉛直方向に対し傾斜して設けられ、かつ前記揺動枠が上方へ揺動して角度を設定する時に、前記位置規制板は前記揺動枠の上面と当接できる。前記主軸が前記装着套管と前記ヒンジ接続スリーブを通り抜けており、前記揺動枠が位置決めされた後に前記主軸は前記揺動枠に対し空回りすることで前記伸縮枠の伸縮を実現できる。
【００１０】
前記太陽エネルギーのベランダ囲い板において、前記係脱機構は、前記主軸に外装された駆動スリーブと、位置決めスリーブと伝動スリーブとを含み、前記駆動スリーブは、前記主軸に固定され、前記位置決めスリーブは、前記固定枠に固定され、前記接続スリーブは、前記揺動枠の上端の縁において横方向に沿って固定して接続され、前記伝動スリーブは、前記接続スリーブの内部にスライド可能に穿設され、かつ前記伝動スリーブと前記接続スリーブとがスプラインによって接続され、前記伝動スリーブは、前記駆動スリーブと前記位置決めスリーブとの間に位置し、前記伝動スリーブが前記駆動スリーブに移動して前記駆動スリーブに押さえる時に、前記伝動スリーブの一端が前記駆動スリーブと円周方向に位置決めされ、前記伝動スリーブが前記位置決めスリーブへ移動する時に、前記伝動スリーブの他端が前記位置決めスリーブと円周方向において位置決めされ、前記伸縮枠には、前記押し棒が備わり、位置規制部品と前記揺動枠とが分離状態にある時に、前記押し棒は前記伝動スリーブに当接して前記伝動スリーブの一端を前記駆動スリーブに押さえて円周方向における位置決めを実現することができ、前記押し棒は、前記揺動枠と前記位置規制部品とが当接する時に、前記伝動スリーブから離れることができ、前記駆動スリーブは、前記押し棒が前記伝動スリーブから離れる時に、前記伝動スリーブを押すことで前記伝動スリーブと前記位置決めスリーブとに円周方向における位置決めを形成させることができる。前記揺動枠が鉛直状態にある時、前記押し棒が前記伝動スリーブに作用し、前記伝動スリーブと前記駆動スリーブとが円周方向に位置決めし、この時、前記主軸が回転しながら前記揺動枠を上方へ揺動させることができ、前記揺動枠と前記位置規制板とが当接して揺動できない時に前記押し棒は前記伝動スリーブから離脱でき、この時、前記駆動スリーブは軸方向に前記伝動スリーブを押圧して前記位置決めスリーブと結合させて円周方向における位置決めを実現し、すなわち前記揺動枠が位置決めされ、前記主軸は引き続き回転でき、これによって前記伸縮枠が伸び出す。
【００１１】
前記太陽エネルギーのベランダ囲い板において、前記伝動スリーブの一端端面には、複数の従動歯が円周方向に配列され、前記駆動スリーブと前記伝動スリーブとにおいて互いに対向した端の端面には、複数の主動歯が円周方向に配列され、前記伝動スリーブが前記駆動スリーブに圧着する時に前記従動歯が前記主動歯と噛み合い、前記伝動スリーブの他端の端面には、複数の位置決め突起部が円周方向に配列され、前記位置決めスリーブと前記伝動スリーブとにおいて互いに対向した端の端面には、複数の位置決め溝が円周方向に形成され、前記駆動スリーブが前記伝動スリーブを押し動かす時、複数の前記位置決め突起部はそれぞれ複数の前記位置決め溝の内部に嵌め込まれることができる。前記押し棒が前記伝動スリーブに作用する時に前記伝動スリーブにある前記従動歯と前記駆動スリーブにある前記主動歯とが噛み合い、したがって前記駆動スリーブは前記伝動スリーブを回転連動させ、前記揺動枠と前記位置規制板とが当接する時に、前記押し棒が前記伝動スリーブから離脱し、この時、前記主動歯は前記従動歯を押圧でき、これによって前記伝動スリーブが軸方向に移動し前記位置決め突起部を前記位置決め溝の内部に嵌め込み、前記伝動スリーブと前記位置決めスリーブとが円周方向に位置決めされ、前記駆動スリーブと前記伝動スリーブとが離れる。
【００１２】
前記太陽エネルギーのベランダ囲い板において、前記押し棒の側面には、前記伝動スリーブの方向へ突起した押し突起部が備わり、該押し突起部は、支持平面と押し斜面を有し、前記支持平面は、縦方向に沿って設置されかつ前記伝動スリーブの端面を向いており、前記押し斜面の下端は、前記支持平面の上端と接続され、前記押し斜面の上端は、前記伝動スリーブから離れた方向へ傾斜して設けられ、前記伝動スリーブの外周面には、前記伝動棒が横方向に沿って固定され、前記伝動棒の端部には、伝動車がヒンジピンによって接続され、前記揺動枠と前記位置規制部品とが分離状態にある時に前記伝動車が前記支持平面に当接し、前記揺動枠が前記位置規制部品と当接する時に前記伝動車が前記押し斜面に沿って前記押し突起部と離れるまで転がる。前記揺動枠と前記位置規制板とが当接する時に前記伸縮枠はちょうど前記押し突起部と前記伝動車とを離すまで伸び出し、この時、前記伝動スリーブが支持を失い、前記揺動枠が前記位置規制板によって位置を規制され引き続き揺動できず、したがって前記駆動スリーブは軸方向に前記伝動スリーブを押し、同じように、本発明の囲い板を縮める時、まず前記伸縮枠は、前記押し突起部の前記押し斜面が前記伝動車を押して前記伝動スリーブと前記位置決めスリーブとを次第に離すまで伸び出し、また前記伝動スリーブと前記位置決めスリーブとが離れる時に前記伝動車が前記支持平面に当接し、この時、前記伝動スリーブが前記駆動スリーブと噛み合い、前記主軸は前記揺動枠を下方に揺動させることができる。
【００１３】
前記太陽エネルギーのベランダ囲い板において、前記支持平面と前記押し斜面との接続部には、装着溝が形成され、前記装着溝の内部において前記緩衝ブロックが横方向に沿ってスライド可能に接続され、前記装着溝の内部には、また弾性皿ばねが設置され、前記弾性皿ばねの両端は、それぞれ前記装着溝の底面と前記緩衝ブロックの内端面に当接しており、前記緩衝ブロックの外端面を過渡面とし、前記弾性皿ばねの作用により前記過渡面の両端がそれぞれ前記支持平面と前記押し斜面とマッチングする。もし前記揺動枠と前記位置規制板とが当接する前に伝動部が前記伝動車と離れてしまうと、この時、前記伝動スリーブの回転程度が不足であるため、前記伝動スリーブと前記位置決めスリーブとがマッチングできなく、もし前記揺動枠と前記位置規制板とが当接した後に前記支持平面は依然として前記伝動車と当接状態にあれば、本発明の囲い板は機能しなくなるため、前記押し突起部に前記装着溝を形成するようにし、前記装着溝の内部に前記緩衝ブロックを設置することで、臨界状態の過度緩衝を図り、前記揺動枠と前記位置規制板とが当接する時に前記主動歯が前記従動歯を押し、前記伝動車が前記緩衝ブロックを押圧してから前記支持平面から離脱し、詰まって機能しなくなることを防止できる。
【００１４】
前記太陽エネルギーのベランダ囲い板において、前記揺動枠において縦方向に沿って二本の案内軸が固定され、前記伸縮枠の上端には、複数の案内スリーブが固定され、複数の前記案内スリーブは、それぞれ複数の前記案内軸にスライド可能に外装され、前記伝動機構は、前記伝動歯車と前記伝動ラックとを含み、前記伝動ラックは、縦方向に沿って前記伸縮枠に固定され、前記伝動歯車は、前記揺動枠の下端に回転可能に接続され、前記伝動歯車と前記伝動ラックとが噛み合っており、前記主軸には、前記主動プーリが固定され、前記伝動歯車には、前記従動プーリが固定され、前記主動プーリと前記従動プーリとは、伝動ベルトによって接続されている。前記主軸はプーリ伝動によって前記伝動歯車を回転連動させることで前記伸縮枠の伸縮を連動させる。
【００１５】
本願に係る太陽エネルギーのベランダ囲い板は、従来技術と比べ、下記のメリットを有する。
【００１６】
使用しない時に揺動枠が鉛直に下方を向いており、伸縮枠が揺動枠の後ろ側に収められてベランダの外部立面と対向することでベランダの下方空間を占用しなく、使用する時には揺動枠と位置規制部品とが当接し、離合部品が揺動枠と固定枠とを互いに位置決めさせ、主軸が空回りする過程において伝動機構により伸縮枠を連動させて引き続き伸び出させ、移動ソーラーパネルと固定ソーラーパネルとが互いに位置をずらした時に、移動ソーラーパネルと固定ソーラーパネルとが同じ水平面に位置するまで案内機構は持ち上げ枠を上昇させ、この時、移動ソーラーパネルと固定ソーラーパネルとが同時に光に照射されて作動するため、作動効率が高い。
【００１７】
揺動枠の揺動と伸縮枠の伸縮と持ち上げ枠の昇降はいずれも同じ駆動モータにより駆動させるため、動力源の使用を減少し、コストを下げる事ができる。
【００１８】
押し突起部に装着溝が形成され、装着溝の内部に緩衝ブロックを設置することで、臨界状態の移行緩衝を果たし、揺動枠と位置規制板とが当接する時に、主動歯が従動歯を押し、伝動車は緩衝ブロックを押してから支持平面から離れることができ、これによって詰まって機能しなくなる現象を防止できる。
【図面の簡単な説明】
【００１９】
【図１】太陽エネルギーのベランダ囲い板を縮めた時の側面構成図である。
【図２】太陽エネルギーのベランダ囲い板を広げた時の斜視図である。
【図３】太陽エネルギーのベランダ囲い板を広げた時の側面構成図である。
【図４】太陽エネルギーのベランダ囲い板を広げた時の構成図である。
【図５】太陽エネルギーのベランダ囲い板に固定ソーラーパネルと移動ソーラーパネルを装着していない時の斜視図である。
【図６】図４におけるＡ―Ａの断面図である。
【図７】図６におけるＢの構成拡大図である。
【図８】図２におけるＣの構成拡大図である。
【図９】図２におけるＤの構成拡大図である。
【図１０】図５におけるＥの構成拡大図である。
【図１１】図４におけるＦの構成拡大図である。
【図１２】図５におけるＧの構成拡大図である。
【図１３】伝動スリーブと駆動スリーブとが噛み合った時に主軸の局部断面図である。
【図１４】伝動車が押し突起部に当接した時の局部断面図である。
【発明を実施するための形態】
【００２０】
下記、図面を参照しながら本発明の技術手段をさらに説明する。本発明は下記の実施例に限られない。
【００２１】
図１〜図５に示すように、太陽エネルギーのベランダ囲い板は、ベランダに鉛直に固定された固定枠１と、揺動枠２と、伸縮枠３と、持ち上げ枠４と、固定ソーラーパネル５と移動ソーラーパネル６とを含み、揺動枠２と伸縮枠３と持ち上げ枠４とは、いずれも矩形枠状を呈し、揺動枠２の上端は、固定枠１にヒンジピンによって接続され、伸縮枠３と揺動枠２とは、平行となりかつ縦方向に沿って揺動枠２にスライド可能に接続され、持ち上げ枠４と伸縮枠３とは、平行となり、かつ伸縮枠３の所在の平面に対し垂直方向に沿って伸縮枠３にスライド可能に接続され、固定ソーラーパネル５は、揺動枠２に固定され、前記移動ソーラーパネル６は、持ち上げ枠４に固定され、固定枠１には、回転できる主軸７が横方向に沿って接続され、主軸７と伸縮枠３との間には、伝動機構が設置され、伝動機構は、主軸７が回転している時に伸縮枠３の移動を連動させることができ、固定枠１には、位置規制部品が設置され、位置規制部品は、揺動枠２が上方へ揺動して角度を設定する時に揺動枠２の位置を当接によって規制することができ、主軸７と揺動枠２と固定枠１との間には、係脱機構が設置され、係脱機構は、主軸７の回転時に揺動枠２を揺動させることができ、揺動枠２と位置規制部品とは、当接すると、係脱機構が揺動枠２を固定枠１に位置決めしかつ主軸７が揺動枠２に対し空回りし、持ち上げ枠４と揺動枠２との間には、案内機構が設置され、移動ソーラーパネル６と固定ソーラーパネル５とが位置をずらすまで伸縮枠３が伸び出した時に、案内機構は持ち上げ枠４を上方に連動させて移動ソーラーパネル６と固定ソーラーパネル５とを同じ水平面に位置させることができる。固定枠１がベランダに固定的に装着され、使用しない時に揺動枠２が鉛直に下方を向いており、伸縮枠３が揺動枠２の後ろ側に縮められてベランダの外部立面と対向することでベランダの下方空間を占用しなく、使用時に主軸７が回転し、係脱機構が揺動枠２を揺動させて角度を設定し、これによって揺動枠２と位置規制部品とが当接し、この時、揺動枠２が傾斜状態まで揺動し、揺動枠２と位置規制部品とが当接する時に離合部品が揺動枠２と固定枠１とを互いに位置決めさせると同時に主軸７が揺動枠に対し空回りし、主軸７が空回りするうちに伝動機構が伸縮枠３を連動させて引き続き伸び出させ、移動ソーラーパネル６と固定ソーラーパネル５とが同じ水平面にあるようになると、移動ソーラーパネル６と固定ソーラーパネル５とが同時に光に照射されて作動するため、高い作動効率を有する。
【００２２】
図６，７に示すように、伸縮枠３には、複数の支持柱３１が垂直に固定され、持ち上げ枠４には、複数の支持スリーブ４１が固定され、複数の支持スリーブ４１は、それぞれ複数の支持柱３１にスライド可能に外装され、前記伸縮枠３と持ち上げ枠４との間には、二対のリンク３２が設置され、二対のリンク３２は、横向きに配列され、同一対の二つのリンク３２は、中央部に交差してヒンジピンによって接続され、かつ同一対のリンク３２は一端がいずれも伸縮枠３に縦方向に沿ってスライド可能に接続され、他端が持ち上げ枠４に縦方向に沿ってスライド可能に接続されており、揺動枠２は鉛直に下方を向いているか、または傾いて下方を向いている状態にあるため、支持スリーブ４１と支持柱３１との係合により、伸縮枠３が持ち上げ枠４を支持し、持ち上げ枠４が上昇する時に二対のリンク３２によって持ち上げ枠４に均等な支持を与えることで安定性を保証できる。案内機構は、二対の案内車４２を含み、二対の案内車４２がそれぞれ持ち上げ枠４の上端の両側の縁に回転可能に接続され、同一対の二つの案内車４２は、縦方向に沿って配列され、かつ同一対の二つの案内車４２のうち、一つの案内車４２が他方の案内車４２より高く、揺動枠２の横方向における両側の下縁において案内板２１が長手方向に沿って固定され、かつ案内板２１の下端はいずれも揺動枠２の下縁から延出しており、二つの案内板２１の内面には、いずれも二つの案内溝２２が長手方向に沿って形成され、二つの案内溝２２のうち、一つの案内溝２２が他方の案内溝２２より高く、同じ側の二つの案内車４２は、それぞれ同じ側の二つの案内溝２２の内部に接続され、かつ高い方の案内車４２が高い方の案内溝２２の内部に接続され、低い方の案内車４２が低い方の案内溝２２の内部に接続され、案内溝２２は、移動ソーラーパネル６と固定ソーラーパネル５とが位置をずらすまで伸縮枠３が伸びだした時に、案内車４２を上げることができる。位置をずらした二つの案内車４２が二つの案内溝２２と係合し、案内溝２２が案内車４２を持ち上げる時、二つの案内車４２が持ち上げ枠４に対しよりいい持ち上げ作用を果たし、移動ソーラーパネル６と固定ソーラーパネル５とが同じ水平面にある時に二つの案内車４２が持ち上げ枠４に対しよりいい支持作用を果たせる。案内溝２２は、案内部２２１と、持ち上げ部２２２と支持部２２３を含み、案内部２２１と支持部２２３は、いずれも案内板２１の長手方向に沿って設置され、かつ支持部２２３が案内部２２１より高く、持ち上げ部２２２は、傾斜して設けられ、かつ案内部２２１と支持部２２３の間に位置し、持ち上げ部２２２の上端は、案内部２２１の下端と接続され、持ち上げ部２２２の下端は、支持部２２３の上端と接続され、案内車４２が案内部２２１に沿って転がる時に、移動ソーラーパネル６が固定ソーラーパネル５の下方に位置して前方へ伸び出し、案内車４２が持ち上げ部２２２に沿って転がる時に移動ソーラーパネル６が上方へ上げられ、案内車４２が支持部２２３の内部に位置する時に移動ソーラーパネル６と固定ソーラーパネル５とは同じ水平面に位置する。
【００２３】
図８，９に示すように、固定枠１において横向きの両端には、いずれも装着台座１１が備わり、装着台座１１の片側には、いずれも装着套管が横方向に沿って固定され、揺動枠２の上縁の両端には、いずれもヒンジ接続スリーブ２３が備わり、二つの前記ヒンジ接続スリーブ２３は、それぞれ二つの装着套管に回転可能に外装され、装着套管の内孔は、装着台座１１のもう一側まで貫通しており、主軸７は、横方向にそって装着台座１１と装着套管を通り抜けるように装着台座１１に軸受によって回転可能に接続され、固定枠１には、駆動モータ１２が固定され、該駆動モータ１２のモーターシャフトは、主軸７の一端と接続され、位置規制部品は、装着台座１１に固定された位置規制板１１１を含み、位置規制板１１１は、鉛直方向に対し傾斜して設けられ、かつ揺動枠２が上方へ揺動して角度を設定する時に、位置規制板１１１は揺動枠２の上面と当接できる。主軸７が装着套管とヒンジ接続スリーブ２３を通り抜けており、揺動枠２が位置決めされた後に主軸７は揺動枠２に対し空回りすることで伸縮枠３の伸縮を実現できる。揺動枠２において縦方向に沿って二本の案内軸２６が固定され、伸縮枠３の上端には、複数の案内スリーブ３５が固定され、複数の案内スリーブ３５は、それぞれ複数の案内軸２６にスライド可能に外装され、伝動機構は、伝動歯車２７と伝動ラック３６とを含み、伝動ラック３６は、縦方向に沿って伸縮枠３に固定され、伝動歯車２７は、揺動枠２の下端に回転可能に接続され、伝動歯車２７と伝動ラック３６とが噛み合っており、主軸７には、主動プーリ７２が固定され、伝動歯車２７には、従動プーリ２８が固定され、主動プーリ７２と従動プーリ２８とは、伝動ベルト７３によって接続されている。
【００２４】
図１０と図１４に示すように、係脱機構は、主軸７に外装された駆動スリーブ７１と、位置決めスリーブ１３と伝動スリーブ２５とを含み、駆動スリーブ７１は、主軸７に固定され、位置決めスリーブ１３は、固定枠１に固定され、接続スリーブ２４は、揺動枠２の上端の縁において横方向に沿って固定して接続され、伝動スリーブ２５は、接続スリーブ２４の内部にスライド可能に穿設され、かつ伝動スリーブ２５と接続スリーブ２４とがスプラインによって接続され、伝動スリーブ２５は、駆動スリーブ７１と位置決めスリーブ１３との間に位置し、伝動スリーブ２５が駆動スリーブ７１に移動して駆動スリーブ７１に押さえる時に、伝動スリーブ２５の一端が駆動スリーブ７１と円周方向に位置決めされ、伝動スリーブ２５が位置決めスリーブ１３へ移動する時に、伝動スリーブ２５の他端が位置決めスリーブ１３と円周方向において位置決めされ、伸縮枠３には、押し棒３３が備わり、位置規制部品と揺動枠２とが分離状態にある時に、押し棒３３は伝動スリーブ２５に当接して伝動スリーブ２５の一端を駆動スリーブ７１に押さえて円周方向における位置決めを実現することができ、押し棒３３は、揺動枠２と位置規制部品とが当接する時に、伝動スリーブ２５から離れることができ、駆動スリーブ７１は、押し棒３３が伝動スリーブ２５から離れる時に、伝動スリーブ２５を押すことで伝動スリーブ２５と位置決めスリーブ１３とに円周方向における位置決めを形成させることができ、揺動枠２が鉛直状態にある時、押し棒３３が伝動スリーブ２５に作用し、伝動スリーブ２５と駆動スリーブ７１とが円周方向に位置決めし、この時、主軸７が回転しながら揺動枠２を上方へ揺動させることができ、揺動枠２と位置規制板１１１とが当接して揺動できない時に押し棒３３は伝動スリーブ２５から離脱でき、この時、駆動スリーブ７１は軸方向に伝動スリーブ２５を押圧して位置決めスリーブ１３と結合させて円周方向における位置決めを実現し、すなわち揺動枠２が位置決めされ、主軸７は引き続き回転でき、これによって伸縮枠３が伸び出す。伝動スリーブ２５の一端端面には、複数の従動歯２５１が円周方向に配列され、駆動スリーブ７１と伝動スリーブ２５とにおいて互いに対向した端の端面には、複数の主動歯７１１が円周方向に配列され、主動歯７１１は従動歯２５１より少なく、かつ隣接の二つの主動歯７１１の間には隙間があり、伝動スリーブ２５が駆動スリーブ７１に圧着する時に従動歯２５１が主動歯７１１と噛み合い、伝動スリーブ２５の他端の端面には、複数の位置決め突起部２５２が円周方向に配列され、位置決めスリーブ１３と伝動スリーブ２５とにおいて互いに対向した端の端面には、複数の位置決め溝１３１が円周方向に形成され、駆動スリーブ７１が伝動スリーブ２５を押し動かす時、複数の位置決め突起部２５２はそれぞれ複数の位置決め溝１３１の内部に嵌め込まれることができる。押し棒３３が伝動スリーブ２５に作用する時に伝動スリーブ２５にある従動歯２５１と駆動スリーブ７１にある主動歯７１１とが噛み合い、したがって駆動スリーブ７１は伝動スリーブ２５を回転連動させ、揺動枠２と位置規制板１１１とが当接する時に、押し棒３３が伝動スリーブ２５から離脱し、この時、主動歯７１１は従動歯２５１を押圧でき、これによって伝動スリーブ２５が軸方向に移動し位置決め突起部２５２を位置決め溝１３１の内部に嵌め込み、伝動スリーブ２５と位置決めスリーブ１３とが円周方向に位置決めされ、駆動スリーブ７１と伝動スリーブ２５とが離れる。押し棒３３の側面には、伝動スリーブ２５の方向へ突起した押し突起部３４が備わり、該押し突起部３４は、支持平面３４１と押し斜面３４２を有し、支持平面３４１は、縦方向に沿って設置されかつ伝動スリーブ２５の端面を向いており、押し斜面３４２の下端は、支持平面３４１の上端と接続され、押し斜面３４２の上端は、伝動スリーブ２５から離れた方向へ傾斜して設けられ、伝動スリーブ２５の外周面には、伝動棒２５３が横方向に沿って固定され、伝動棒２５３の端部には、伝動車２５４がヒンジピンによって接続され、揺動枠２と位置規制部品とが分離状態にある時に伝動車２５４が支持平面３４１に当接し、揺動枠２が位置規制部品と当接する時に伝動車２５４が押し斜面３４２に沿って押し突起部３４と離れるまで転がることができる。揺動枠２と位置規制板１１１とが当接する時に伸縮枠３はちょうど押し突起部３４と伝動車２５４とを離すまで伸び出し、この時、伝動スリーブ２５が支持を失い、揺動枠２が位置規制板１１１によって位置を規制され引き続き揺動できず、したがって駆動スリーブ７１は軸方向に伝動スリーブ２５を押し、同じように、本発明の囲い板を縮める時、まず伸縮枠３は、押し突起部３４の押し斜面３４２が伝動車２５４を押して伝動スリーブ２５と位置決めスリーブ１３とを次第に離すまで伸び出し、また伝動スリーブ２５と位置決めスリーブ１３とが離れる時に伝動車２５４が支持平面３４１に当接し、この時、伝動スリーブ２５が駆動スリーブ７１と噛み合い、主軸７は揺動枠２を下方に揺動させることができる。支持平面３４１と押し斜面３４２との接続部には、装着溝３４３が形成され、装着溝３４３の内部において緩衝ブロック３４４が横方向に沿ってスライド可能に接続され、装着溝３４３の内部には、また弾性皿ばね３４６が設置され、弾性皿ばね３４６の両端は、それぞれ装着溝３４３の底面と緩衝ブロック３４４の内端面に当接しており、緩衝ブロック３４４の外端面を過渡面３４５とし、弾性皿ばね３４６の作用により過渡面３４５の両端がそれぞれ支持平面３４１と押し斜面３４２とマッチングする。もし揺動枠２と位置規制板１１１とが当接する前に伝動部が伝動車２５４と離れてしまうと、この時、伝動スリーブ２５の回転程度が不足であるため、伝動スリーブ２５と位置決めスリーブ１３とがマッチングできなく、もし揺動枠２と位置規制板１１１とが当接した後に支持平面３４１は依然として伝動車２５４と当接状態にあれば、本発明の囲い板は機能しなくなるため、押し突起部３４に装着溝３４３を形成するようにし、装着溝３４３の内部に緩衝ブロック３４４を設置することで、臨界状態の過度緩衝を図り、揺動枠２と位置規制板１１１とが当接する時に主動歯７１１が従動歯２５１を押し、伝動車２５４が緩衝ブロック３４４を押圧してから支持平面３４１から離脱し、機能しなくなることを防止できる。
【００２５】
本発明について上述のように実施例に基づいて詳細に説明したが、発明の属する技術分野において通常の知識を有する者であればさまざまな工夫と修飾が可能であり、それらはいずれも本発明の特許請求の範囲が求める保護を逸脱しない。
【符号の説明】
【００２６】
１  固定枠
１１  装着台座
１１１  位置規制板
１２  駆動モータ
１３  位置決めスリーブ
１３１  位置決め溝
２  揺動枠
２１  案内板
２２  案内溝
２２１  案内部
２２２  持ち上げ部
２２３  支持部
２３  ヒンジ接続スリーブ
２４  接続スリーブ
２５  伝動スリーブ
２５１  従動歯
２５２  位置決め突起部
２５３  伝動棒
２５４  伝動車
２６  案内軸
２７  伝動歯車
２８  従動プーリ
３  伸縮枠
３１  支持柱
３２  リンク
３３  押し棒
３４  押し突起部
３４１  支持平面
３４２  押し斜面
３４３  装着溝
３４４  緩衝ブロック
３４５  過渡面
３４６  弾性皿ばね
３５  案内スリーブ
３６  伝動ラック
４  持ち上げ枠
４１  支持スリーブ
４２  案内車
５  固定ソーラーパネル
６  移動ソーラーパネル
７  主軸
７１  駆動スリーブ
７１１  主動歯
７２  主動プーリ
７３  伝動ベルト
【要約】
太陽エネルギーのベランダ囲い板は、固定枠と、揺動枠と、伸縮枠と、持ち上げ枠と、固定ソーラーパネルと移動ソーラーパネルとを含み、揺動枠の上端が固定枠にヒンジピンによって接続され、伸縮枠が揺動枠に摺動可能に接続され、持ち上げ枠が伸縮枠にヒンジピンによって接続され、固定枠には回転できる主軸が接続され、主軸と伸縮枠との間には伝動機構が設置され、固定枠には位置規制部品が設置され、主軸と揺動枠と固定枠との間には係脱機構が設置され、係脱機構は主軸の回転時に揺動枠を揺動させることができ、持ち上げ枠と揺動枠との間には案内機構が設置され、本発明の太陽エネルギーのベランダ囲い板は使用しない時に専用空間が少なく、使用時に広げられて効率を上げる。
【選択図】図１【図１】
0006763536.tif 000002
【図２】
0006763536.tif 000003
【図３】
0006763536.tif 000004
【図４】
0006763536.tif 000005
【図５】
0006763536.tif 000006
【図６】
0006763536.tif 000007
【図７】
0006763536.tif 000008
【図８】
0006763536.tif 000009
【図９】
0006763536.tif 000010
【図１０】
0006763536.tif 000011
【図１１】
0006763536.tif 000012
【図１２】
0006763536.tif 000013
【図１３】
0006763536.tif 000014
【図１４】
0006763536.tif 000015